(57)【要約】  半値幅が１０ｎｍ 以下の超狭帯域光を全身照射できる全身美容装置を提供する。半値幅１０ｎｍ以下の超狭帯域光を凹レンズに通して拡散させ、顔や全身に照射して、顔や全身の肌・皮膚の細胞を活性化させる。具体的には、日焼けサロンなどで使用されているようなドーム型の照射装置の内側に超狭帯域光の照射ユニットをドーム状に配置し、それぞれの照射ユニットに凹レンズなどの拡散ユニットを取り付け、強い超狭帯域光を拡散させることで全身に照射する。
2011070795.tif 000002
【特許請求の範囲】
【請求項１】
ピーク波長域が４００〜２５００ｎｍであって、半値幅１０ｎｍ以下の可視光〜近赤外光の超狭帯域光を出射し得る光源ユニットと、前記光源ユニットから出射された超狭帯域光を拡散させ照射面積を増大させ得る拡散ユニットを備えた照射部が複数配設された装置であって、人体が仰臥可能な寝台部と、この寝台部に開閉自在に接続され、人体の頭部より下もしくは人体の全てを収納可能な空間を内部に有する蓋部と、前記照射部が前記蓋部の内壁に複数配設されたことを特徴とする全身美容装置。
【請求項２】
ピーク波長域が４００〜２５００ｎｍであって、半値幅１０ｎｍ以下の可視光〜近赤外光の超狭帯域光を出射し得る光源ユニットと、前記光源ユニットから出射された超狭帯域光を拡散させ照射面積を増大させ得る拡散ユニットを備えた照射部が複数配設された装置であって、人体が仰臥可能な寝台部と、前記寝台部を収納自在で、人体の頭部より下もしくは人体の全てを収納可能な空間を内部に有する、外形が蒲鉾型もしくは円筒型を成すドーム状の被覆部と、前記照射部が前記被覆部の内壁に複数配設されたことを特徴とする全身美容装置。
【請求項３】
ピーク波長域が４００〜２５００ｎｍであって、半値幅１０ｎｍ以下の可視光〜近赤外光の超狭帯域光を出射し得る光源ユニットと、前記光源ユニットから出射された超狭帯域光を拡散させ照射面積を増大させ得る拡散ユニットを備えた照射部が複数配設された装置であって、起立した人体を収納可能な円筒空間を有するもので、前記円筒空間は人体の頭部より下を収納可能であり、前記円筒空間の内壁が鏡面であり、前記照射部が前記円筒空間の内壁に複数配設されたことを特徴とする全身美容装置。
【請求項４】
前記寝台部が透光性材料で形成されており、前記寝台部の下部に位置する前記照射部からの照射を可能とされたことを特徴とする請求項２の全身美容装置。
【請求項５】
前記ドーム状の被覆部の内壁が鏡面であることを特徴とする請求項２の全身美容装置。
【請求項６】
前記ピーク波長域が４３０〜５５０ｎｍであって、半値幅１０ｎｍ以下の青色〜緑色の超狭帯域光を、顔を含む全身に照射し、顔や全身の美白効果を高める請求項１〜３のいずれかの全身美容装置。
【請求項７】
前記ピーク波長域が４３０〜５５０ｎｍであって、半値幅１０ｎｍ以下の青色〜緑色の超狭帯域光を、顔を含む全身に照射し、顔や全身のシミの削減効果を高める請求項１〜３のいずれかの全身美容装置。
【請求項８】
前記ピーク波長域が４３０〜５５０ｎｍであって、半値幅１０ｎｍ以下の青色〜緑色の超狭帯域光を、顔に照射し、顔の化粧のりを高める請求項１〜３のいずれかの全身美容装置。
【請求項９】
前記ピーク波長域が４３０〜５００ｎｍであって、半値幅１０ｎｍ以下の青色の超狭帯域光を、顔を含む全身に照射し、顔や全身のくすみの削減効果を高める請求項１〜３のいずれかの全身美容装置。
【請求項１０】
前記ピーク波長域が４３０〜５００ｎｍであって、半値幅１０ｎｍ以下の青色の超狭帯域光を、顔に照射し、顔の毛穴の引き締め効果を高める請求項１〜３のいずれかの全身美容装置。
【請求項１１】
前記ピーク波長域が６００〜２５００ｎｍであって、半値幅１０ｎｍ以下の赤色〜近赤外の超狭帯域光を、顔に照射し、小顔効果を高める請求項１〜３のいずれかの全身美容装置。
【請求項１２】
前記ピーク波長域が４３０〜５００ｎｍであって、半値幅１０ｎｍ以下の青色の超狭帯域光を、顔に照射し、活性化ニキビの抑制効果を高める請求項１〜３のいずれかの全身美容装置。
【請求項１３】
前記ピーク波長域が５００〜５５０ｎｍであって、半値幅１０ｎｍ以下の緑色の超狭帯域光を、顔を含む全身に照射し、顔や全身の保湿効果を高める請求項１〜３のいずれかの全身美容装置。
【請求項１４】
前記ピーク波長域が６００〜２５００ｎｍであって、半値幅１０ｎｍ以下の赤色〜近赤外の超狭帯域光を、顔を含む全身に照射し、顔や全身の肌の引き締め及びシワ取り効果を高める請求項１〜３のいずれかの全身美容装置。
【請求項１５】
前記半値幅が３ｎｍ以下であることを特徴とする請求項１〜３のいずれかの全身美容装置。
【請求項１６】
請求項１〜３のいずれかの全身美容装置を用いて、顔や全身の照射部位のエネルギーが１．０Ｊ／ｃｍ２以下に調整し、１回の照射時間は１５〜６０分とする全身美容方法。
【請求項１７】
前記ピーク波長域を４３０〜５５０ｎｍに調整し、半値幅１０ｎｍ以下の青色〜緑色の超狭帯域光を顔や全身に照射して、顔や全身の美白効果、シミの削減効果、又は、顔の化粧のりを高める請求項１６の全身美容方法。
【請求項１８】
前記ピーク波長域を４３０〜５００ｎｍに調整し、半値幅１０ｎｍ以下の青色の超狭帯域光を顔や全身に照射し、顔や全身のくすみの削減効果、顔の毛穴の引き締め効果、又は、顔の活性化ニキビの抑制効果を高める請求項１６の全身美容方法。
【請求項１９】
前記ピーク波長域を５００〜５５０ｎｍに調整し、半値幅１０ｎｍ以下の緑色の超狭帯域光を顔や全身に照射し、顔や全身の保湿効果を高める請求項１６の全身美容方法。
【請求項２０】
前記ピーク波長域を６００〜２５００ｎｍに調整し、半値幅１０ｎｍ以下の赤色〜近赤外の超狭帯域光を顔や全身に照射し、顔や全身の肌の引き締め、シワ取り効果、又は、小顔効果を高める請求項１６の全身美容方法。
【請求項２１】
前記ピーク波長域を６００〜２５００ｎｍに調整した半値幅１０ｎｍ以下の赤色〜近赤外の超狭帯域光と、
前記ピーク波長域を５００〜５５０ｎｍに調整した半値幅１０ｎｍ以下の緑色の超狭帯域光と、
前記ピーク波長域を４３０〜５００ｎｍに調整した半値幅１０ｎｍ以下の青色の超狭帯域光と、
を順番に顔に照射し、くまの削減効果を高める請求項１６の全身美容方法。
【請求項２２】
前記半値幅が３ｎｍ以下であることを特徴とする請求項１６〜２１のいずれかの全身美容方法。
【発明の詳細な説明】
【技術分野】
【０００１】
本発明は、主にエステティックサロン等で使用され、仰臥もしくは起立した被験者の全身の皮膚に同時に光を照射する全身美容装置および全身美容方法に関するものである。
【背景技術】
【０００２】
近年、エステティックサロンが増加し、全身美容が広範に普及するに伴い、様々な全身美容装置が提案されている。例えば、寝台部と半球状の蓋部より構成され、利用者が寝台部に仰臥して、頭部以外の全身を覆うように蓋部を被せ、内部に付設された温水噴射装置によって、蓋部内の利用者の身体にシャワーを行うものや、内部に遠赤外線照射装置を付設してサウナとして機能するものが提案されている（例えば、特許文献１を参照。）。
かかる従来から知られている全身美容装置の場合、個人のサウナ装置に該当するものが殆どであり、光を用いた全身美容装置は現状見当たらない。【０００３】
また、全身美容の用途ではなく治療装置として、癌などの光線力学的治療法のために、蓋部の内部に配置された発光ダイオード（ＬＥＤ）パネルを用いて、全身にＬＥＤ光を照射するものが知られている（例えば、特許文献２を参照。）。
かかる全身装置の場合、ＬＥＤの光を用いて全身を照射して、悪性の細胞に効果的な感光剤の吸収を補助するものであり、全身の肌に直接治療効果を及ぼすものではなかった。
【先行技術文献】
【特許文献】
【０００４】
【特許文献１】特開平１１−２６７１７６号公報
【特許文献２】特表２００８−５１２１６９号公報
【発明の概要】
【発明が解決しようとする課題】
【０００５】
本発明者は医師であり、美容皮膚科治療、育毛・増毛及び脱毛の予防に関する情報の提供及びコンサルティングを業として行っている。かかる業務を通じて、長時間使用しても皮膚にトラブルを発生しない、安全で、かつ充分な効果を短時間で得られる美肌方法、育毛・増毛方法を鋭意検討し続けてきた。そして、本発明者は、様々な試作を行い、実際に自己の経営する美容クリニックにおいて、半値幅が１０ｎｍ 以下の超狭帯域光を患部に照射することで、同じ光量の近似する波長域の光よりも強い作用を得られることができることの知見を得た。また、暗室で、半値幅が１０ｎｍ 以下の超狭帯域光を患部に照射することで、光源の光の干渉を著しく低減させ、その単色光本来の有する作用効果を皮膚及び皮膚下の細胞に与えることができるとの知見を得た。【０００６】
かかる知見、すなわち、選択した超狭帯域の光本来の特質をそのまま美容に活用することができるというものを利用し、実際に美顔育毛装置を作製した。この美顔育毛装置は、顔や頭部に半値幅が１０ｎｍ 以下の超狭帯域光を広範囲の面積に照射できるものであり、老化やストレス、遺伝、病気等で、頭部他の毛髪が少ない患者に対して、頭部等の皮膚及び皮膚下の細胞を活性化して育毛・発毛を促進し、美肌・美顔を行うためのものである。【０００７】
本発明者は、かかる美顔育毛装置の効果が、顔や頭部に限らず、全身美容にも効果があるのではないかという発想に基づき、様々な基礎的実験を実施した。その結果、局所的な部分に超狭帯域光を照射するのではなく、全身に超狭帯域光を照射することで、一定の作用効果が得られるということが判明した。
半値幅１０ｎｍ以下の超狭帯域光は、エネルギーが強い光であり、そのまま照射しては皮膚や肌に刺激が強すぎるため、超狭帯域光を拡散されて照射面積を増大し、照射単位面積あたりのエネルギーを低減することで、肌や皮膚への刺激が少なくすることが可能である。【０００８】
上述した従来からある全身美容装置や治療装置の構造を踏まえ、半値幅１０ｎｍ以下の超狭帯域光の光を全身に照射し、全身美容を実現することを目的とする。
すなわち、本発明は、半値幅が１０ｎｍ
以下の超狭帯域光を全身照射できる全身美容装置を提供することを目的とする。
なお、本明細書では、半値幅が１０ｎｍ
以下の光を超狭帯域光と呼ぶことにし、通常のＬＥＤ（発光ダイオード）の単色光（半値幅が１５〜４０ｎｍ）と区別する。また、半値幅とは、光源の中心波長（ピーク波長）の半分の強さの光の波長の幅をいう。
【課題を解決するための手段】
【０００９】
上記目的を達成すべく、本発明は、半値幅１０ｎｍ以下の超狭帯域光を凹レンズに通して拡散させ、全身に照射して、全身の肌・皮膚の細胞を活性化させる。具体的には、日焼けサロンなどで使用されているようなドーム型の照射装置の内側に超狭帯域光の照射ユニットをドーム状に配置し、それぞれの照射ユニットに凹レンズなどの拡散ユニットを取り付け、強い超狭帯域光を拡散させることで全身に照射することとした。【００１０】
すなわち、本発明の第１の観点の全身美容装置は、ピーク波長域が４００〜２５００ｎｍであって、半値幅１０ｎｍ以下の可視光〜近赤外光を出射し得る光源ユニットと、当該光源ユニットから出射された超狭帯域光を拡散させ照射面積を増大させ得る拡散ユニットを備えた照射部が複数配設された装置であって、人体が仰臥可能な寝台部と、この寝台部に開閉自在に接続され、人体の頭部より下もしくは人体の全てを収納可能な空間を内部に有する蓋部と、照射部が蓋部の内壁に複数配設された構成とされる。【００１１】
かかる構成とすることで、半値幅１０ｎｍ以下の超狭帯域光光を複数個所で拡散させて、全身に照射できる。半値幅１０ｎｍ以下の超狭帯域光を全身に照射することで、照射部位の皮膚細胞を活性化でき、肌の引き締め、肌の保湿効果の向上などの効果がある。【００１２】
ここで、超狭帯域光照射手段は、４００〜２５００ｎｍの範囲のＬＥＤ光源と、このＬＥＤ光源から出射された光の波長帯域を絞るバンドパスフィルターとから構成される。仮に将来、半値幅が１０ｎｍ
以下の超狭帯域光を照射できるＬＥＤ光源が開発された場合でも、上記の超狭帯域光照射手段の構成、すなわち、ＬＥＤ光源とバンドパスフィルターの構成によって、さらに、より一層、半値幅の狭い超狭帯域光を作り出すことが可能となる。【００１３】
また、拡散手段は、凹レンズ、拡散レンズ、シリンドリカルレンズ、拡散板の少なくとも１つから構成される。なお、光量の減衰を最小限に抑える観点から拡散レンズが好適に用いることができる。【００１４】
また、シリンドリカルレンズを拡散手段に用いる場合は、２枚のシリンドリカルレンズを各々のレンズが直交する方向に配置して使用する。一般に、シリンドリカルレンズは、一方向のみの倍率調整が必要な用途に使われ、一方向に結像するだけであるが球面レンズと同じ結像公式が成立するため、１枚目のシリンドリカルレンズでビームを一方向についてコリメートし、それから２枚目のシリンドリカルレンズでそれと直交する方向についてもコリメートして使用する。なお、シリンドリカルレンズを拡散手段に用いて、さらに拡散レンズ、拡散板などを併用してもかまわない。【００１５】
また、本発明の第２の観点の全身美容装置は、半値幅が１０ｎｍ以下の超狭帯域光を出射し得る光源ユニットと、当該光源ユニットから出射された超狭帯域光を拡散させ照射面積を増大させ得る拡散ユニットを備えた照射部が複数配設された装置であって、人体が仰臥可能な寝台部と、この寝台部を収納自在で、人体の頭部より下もしくは人体の全てを収納可能な空間を内部に有する、外形が蒲鉾型もしくは円筒型を成すドーム状の被覆部と、照射部が被覆部の内壁に複数配設された構成とされる。【００１６】
かかる構成とすることで、半値幅１０ｎｍ以下の超狭帯域光を複数個所で拡散させて、全身に照射できる。外形が蒲鉾型もしくは円筒型を成すドーム状の被覆部とすることで、被験者が寝台部に横たわった状態のまま、寝台部を操作して被験者を全身美容装置に搬入できる。
また、ドーム状の被覆部の内壁を鏡面にすることにより、照射された超狭帯域光を鏡面で反射させ、再び全身に照射させることで、超狭帯域光の効果を一層引き出すことが可能となる。【００１７】
また、本発明の第３の観点の全身美容装置は、半値幅が１０ｎｍ以下の超狭帯域光を出射し得る光源ユニットと、当該光源ユニットから出射された超狭帯域光を拡散させ照射面積を増大させ得る拡散ユニットを備えた照射部が複数配設された装置であって、起立した人体を収納可能な円筒空間を有するもので、円筒空間は人体の頭部より下を収納可能であり、円筒空間の内壁が鏡面であり、照射部が円筒空間の内壁に複数配設された構成とされる。【００１８】
かかる構成とすることで、半値幅１０ｎｍ以下の超狭帯域光を複数個所で拡散させて、全身に照射できる。円筒空間の内壁を鏡面とすることにより、照射された超狭帯域光を鏡面で反射させ、再び全身に照射させることで、超狭帯域光の効果を一層引き出すことが可能となる。【００１９】
ここで、本発明の第２の観点の全身美容装置において、寝台部が透光性材料で形成されており、寝台部の下部に位置する照射部からの照射を可能とされたことが好ましい態様である。
寝台部を透光性材料で形成させることにより、寝台部の下部に位置する照射部からの照射を可能とできる。【００２０】
また、本発明の全身美容装置において、蓋部、被覆部もしくは円筒空間の内壁に、遠赤外線発生ユニットが併設されたことがより好ましい。
蓋部、被覆部もしくは円筒空間の内壁に、遠赤外線発生ユニットを設けることにより、美容と健康増強を同時に実現させることができる。【００２１】
次に、本発明の全身美容装置において、半値幅１０ｎｍ以下の超狭帯域光のピーク波長域を調整することにより得られる様々な用途について説明する。これらは、実際に被験者を用いて臨床実験を行った結果である。【００２２】
先ず、本発明の全身美容装置において、ピーク波長域が４３０〜５５０ｎｍで半値幅１０ｎｍ以下の青色〜緑色の超狭帯域光を、顔を含む全身に照射し、顔や全身の美白効果を高めることができる。【００２３】
また、本発明の全身美容装置において、ピーク波長域が４３０〜５５０ｎｍで半値幅１０ｎｍ以下の青色〜緑色の超狭帯域光を、顔を含む全身に照射し、顔や全身のシミの削減効果を高めることができる。【００２４】
また、本発明の全身美容装置において、ピーク波長域が４３０〜５５０ｎｍで半値幅１０ｎｍ以下の青色〜緑色の超狭帯域光を、顔に照射し、顔の化粧のりを高めることができる。【００２５】
また、本発明の全身美容装置において、ピーク波長域が４３０〜５００ｎｍであって、半値幅１０ｎｍ以下の青色の超狭帯域光を、顔を含む全身に照射し、顔や全身のくすみの削減効果を高めることができる。【００２６】
また、本発明の全身美容装置において、ピーク波長域が４３０〜５００ｎｍであって、半値幅１０ｎｍ以下の青色の超狭帯域光を、顔に照射し、顔の毛穴の引き締め効果を高めることができる。【００２７】
また、本発明の全身美容装置において、ピーク波長域が６００〜２５００ｎｍであって、半値幅１０ｎｍ以下の赤色〜近赤外の超狭帯域光を、顔に照射し、小顔効果を高めることができる。【００２８】
また、本発明の全身美容装置において、ピーク波長域が４３０〜５００ｎｍであって、半値幅１０ｎｍ以下の青色の超狭帯域光を、顔に照射し、活性化ニキビの抑制効果を高めることができる。【００２９】
また、本発明の全身美容装置において、ピーク波長域が５００〜５５０ｎｍであって、半値幅１０ｎｍ以下の緑色の超狭帯域光を、顔を含む全身に照射し、顔や全身の保湿効果を高めることができる。【００３０】
また、本発明の全身美容装置において、ピーク波長域が６００〜２５００ｎｍであって、半値幅１０ｎｍ以下の赤色〜近赤外の超狭帯域光を、顔を含む全身に照射し、顔や全身の肌の引き締め及びシワ取り効果を高めることができる。【００３１】
また、本発明の全身美容装置において、半値幅が３ｎｍ以下であることがより好ましい。上記の様々な効果をより顕著にすることが可能となる。【００３２】
次に、本発明の全身美容方法について説明する。
本発明の全身美容方法は、上述のいずれかの全身美容装置を用いて、顔や全身の照射部位のエネルギーが１．０Ｊ／ｃｍ２以下に調整し、１回の照射時間は１５〜６０分とするものである。【００３３】
本発明の全身美容方法において、ピーク波長域を４３０〜５５０ｎｍに調整し、半値幅１０ｎｍ以下の青色〜緑色の超狭帯域光を顔や全身に照射して、顔や全身の美白効果、シミの削減効果、又は、顔の化粧のりを高めることができる。【００３４】
本発明の全身美容方法において、ピーク波長域を４３０〜５００ｎｍに調整し、半値幅１０ｎｍ以下の青色の超狭帯域光を顔や全身に照射し、顔や全身のくすみの削減効果、顔の毛穴の引き締め効果、又は、顔の活性化ニキビの抑制効果を高めることができる。【００３５】
本発明の全身美容方法において、ピーク波長域を５００〜５５０ｎｍに調整し、半値幅１０ｎｍ以下の緑色の超狭帯域光を顔や全身に照射し、顔や全身の保湿効果を高めることができる。【００３６】
本発明の全身美容方法において、ピーク波長域を６００〜２５００ｎｍに調整し、半値幅１０ｎｍ以下の赤色〜近赤外の超狭帯域光を顔や全身に照射し、顔や全身の肌の引き締め、シワ取り効果、又は、小顔効果を高めることができる。【００３７】
本発明の全身美容方法において、ピーク波長域を６００〜２５００ｎｍに調整した半値幅１０ｎｍ以下の赤色〜近赤外の超狭帯域光と、ピーク波長域を５００〜５５０ｎｍに調整した半値幅１０ｎｍ以下の緑色の超狭帯域光と、ピーク波長域を４３０〜５００ｎｍに調整した半値幅１０ｎｍ以下の青色の超狭帯域光と、を順番に顔に照射し、くまの削減効果を高めることができる。【００３８】
本発明の全身美容方法において、半値幅が３ｎｍ以下であることがより好ましい。上記の様々な効果をより顕著にすることが可能となる。
【発明の効果】
【００３９】
本発明の全身美容装置によれば、半値幅１０ｎｍ以下の超狭帯域光を複数個所で拡散させて、全身に照射できる。
半値幅１０ｎｍ以下の超狭帯域光を全身に照射することで、照射部位の皮膚細胞を活性化でき、美白効果、シミの削減効果、くすみ削減効果、毛穴の引き締め効果、小顔効果、活性化ニキビ抑制効果、保湿効果、肌の引き締め効果、シワ取り効果、肌のきめ、くま削減効果の向上といった効果を有する。
【図面の簡単な説明】
【００４０】
【図１】実施例１の全身美容装置の模式図
【図２】実施例２の全身美容装置の模式図
【図３】実施例３の全身美容装置の模式図
【図４】実施例３の全身美容装置の上から眺めた様子（１）
【図５】実施例３の全身美容装置の上から眺めた様子（２）
【図６】実施例３の全身美容装置の上から眺めた様子（３）
【図７】実施例３の全身美容装置の使用イメージ図１
【図８】実施例３の全身美容装置の使用イメージ図２
【図９】超狭帯域光照射ユニットのＬＥＤ光源の構成図
【図１０】美白効果の比較データ
【図１１】シミの削減効果の比較データ
【図１２】化粧のり効果の比較データ
【図１３】くすみ削減効果の比較データ
【図１４】毛穴の引き締め効果の比較データ
【図１５】小顔効果の比較データ
【図１６】活性化ニキビ抑制効果の比較データ
【図１７】保湿効果の比較データ
【図１８】肌の引き締め効果の比較データ
【図１９】シワ取り効果の比較データ
【図２０】肌のきめの比較データ
【図２１】くま削減効果の比較データ
【発明を実施するための最良の形態】
【００４１】
以下、本発明の実施形態について、図面を参照しながら詳細に説明していく。なお、本発明の範囲は、以下の実施例や図示例に限定されるものではなく、幾多の変更及び変形が可能である。【００４２】
図９は、本発明の全身美容装置の超狭帯域光照射ユニット２の構成図の一例を示している。
本発明の全身美容装置の超狭帯域光照射ユニット２のＬＥＤ光源７は、下表１に示すピーク波長と半値幅特性を有する３つのＬＥＤ光源７（赤色ＬＥＤ光源，青色ＬＥＤ光源，緑色ＬＥＤ光源のいずれか）と、図９に示すように、ＬＥＤ光源７から出射された各々の光の波長帯域を絞るバンドパスフィルター１３と、バンドパスフィルター１３を透過した半値幅が１０ｎｍの超狭帯域の光を拡散する拡散レンズ１２から構成されている。【００４３】
赤色ＬＥＤ光源，青色ＬＥＤ光源，緑色ＬＥＤ光源以外の色のＬＥＤ光源を使用してもかまわない。【００４４】
ここで、ＬＥＤ光源７としては、例えば、株式会社イマック製の平行光ＬＥＤ光源（型番：ＩＢＦ−ＬＳ）を用いることができる。ＬＥＤ光源７から照射される光は、超遠投な指向性のある光である。光径としては略５ｃｍであり、この光を拡散レンズ１２で拡散させている。【００４５】
【表１】
2011070795.tif 000003
【実施例１】
【００４６】
図１は、上面から仰臥した正面の身体を照射するイメージ図を示している。
蓋部は、利用者の頭部から下の全身を収納できる空間を形成するように形成されている。利用者頭部側にあたる一端部には凹部を形成しており、利用者の頭部のみを外に露出した形で閉蓋が可能である。
利用者が寝台部に仰臥して、頭部以外の全身を覆うように蓋部を被せる。蓋部の内壁の上面には、超狭帯域光照射ユニット（２ａ〜２ｉ）が設けられている。超狭帯域光照射ユニット（２ａ〜２ｉ）は、青色、赤色、緑色のいずれかの半値幅が１０ｎｍ
以下の超狭帯域光を出射し、拡散ユニットを通じて、出射された超狭帯域光を拡散させ、照射面積を増大させる。利用者の頭部、顔部を与えないように、蓋部内の利用者の仰臥した正面の身体を向けて照射して、正面の身体の肌に直接治療効果を及ぼす。
【実施例２】
【００４７】
図２は、上下面から同時に全身を照射するイメージ図を示している。寝台部の下部には、超狭帯域光照射ユニット（３ａ〜３ｈ）が設けられている。超狭帯域光照射ユニット（３ａ〜３ｈ）からの光の照射を受けやすくため、寝台部は、透光性材料で形成されている。
利用者が寝台部に仰臥して、頭部以外の全身を覆うように蓋部を被せ、蓋部内壁の上面及び寝台部の下部に複数配設された超狭帯域光照射ユニット（２ａ〜２ｉ）および超狭帯域光照射ユニット（３ａ〜３ｈ）から、利用者の正面の身体もしくは背面が向かって、青色、赤色、緑色のいずれかの半値幅が１０ｎｍ
以下の超狭帯域光を出射し、拡散ユニットを通じて、出射された超狭帯域光を拡散させ、照射面積を増大させる。利用者の頭部、顔部を与えないように、蓋部内の利用者の仰臥した正面の身体を向けて照射して、正面の身体の肌に直接治療効果を及ぼす。
【実施例３】
【００４８】
図３には、垂直に立てられた円筒ドーム内の人が起立した状態で入り、前後の内壁から全身に超狭帯域光を照射するイメージを示している。
利用者が立ったまま、頭部以外の全身を円筒ドームで覆う。前後の内壁に複数配設された、超狭帯域光照射ユニット（２ａ〜２ｉ）および超狭帯域光照射ユニット（３ａ〜３ｈ）から、利用者の正面の身体もしくは背面が向かって、青色、赤色、緑色のいずれかの半値幅が１０ｎｍ
以下の超狭帯域光を出射し、拡散ユニットを通じて、出射された超狭帯域光を拡散させ、照射面積を増大させる。利用者の頭部、顔部を与えないように、蓋部内の利用者の仰臥した正面の身体を向けて照射して、正面の身体の肌に直接治療効果を及ぼす。【００４９】
また、光の相乗効果を収めるため、円筒ドームの内壁にはミラーが設置されている。このミラーで照射した光で、体に照射されなかったものを反射して、再び体に照射することができる。【００５０】
また、円筒ドームの一例としては、利用者の首までの身長を１５０ｃｍとし、直径５ｃｍの開口部の超狭帯域光照射ユニットを１０ｃｍの間隔で設けた場合、縦に一列では、１０個程度の超狭帯域光照射ユニットを設置することができる。【００５１】
図４〜図６は、実施例３の全身照射装置を上方から見た図である。図４は、利用者１の前後の内壁に複数配設された超狭帯域光照射ユニット２ａおよび超狭帯域光照射ユニット３ａを示している。また、図５は、利用者１の三方に複数配設された超狭帯域光照射ユニット２ａ，３ａ，４ａを示している。また、図６は、利用者１の四方に複数配設された超狭帯域光照射ユニット２ａ，３ａ，４ａ，５ａを示している。【００５２】
図７は、実施例３の全身美容装置の使用イメージを示している。配設された超狭帯域光照射ユニットの個数は、図示するものに限定されるものではない。
また、図８は、顔を保護するため、首のところでカバー３２を設けた場合の全身美容装置の使用イメージを示している。【００５３】
図１０〜２１は、ピーク波長域を４３０〜５００ｎｍに調整した半値幅１０ｎｍ以下の青色の超狭帯域光（１色）を照射したケース１、ピーク波長域を５００〜５５０ｎｍに調整した半値幅１０ｎｍ以下の緑色の超狭帯域光（１色）を照射したケース２、ピーク波長域を６００〜２５００ｎｍに調整した半値幅１０ｎｍ以下の赤色〜近赤外の超狭帯域光（１色）を照射したケース３、これらの青色の超狭帯域光（１色）と緑色の超狭帯域光（１色）と赤色〜近赤外の超狭帯域光（１色）を順番（赤、緑、青の順番）に照射したケース４の計４つのケースについて、それぞれ、美白効果、シミの削減効果、くすみ削減効果、毛穴の引き締め効果、小顔効果、活性化ニキビ抑制効果、保湿効果、肌の引き締め効果、シワ取り効果、肌のきめ、くま削減効果を比較したものである。【００５４】
それぞれの比較データは、被験者１００人に対して、延べ５００回実施した結果を示している。それぞれのケースにおける有効率（％）、著効率（％）を示した。
これらは、超狭帯域光を３０分間照射した結果である。但し、３色を順番に照射するケース３では、それぞれの光を１０分ずつ照射した。光源からの距離は１０ｃｍ程度にした。
なお、顔の場合は、前処理として化粧を必ず落とした。化粧水の使用は許容した。顔や全身で、日焼け止めクリームは完全に除去した。【００５５】
なお、活性化ニキビ抑制効果に関して、緑色の照射は逆に活性化ニキビを悪化させることもわかった。
【産業上の利用可能性】
【００５６】
本発明は、エステティックサロンなどの美容業界に有用である。
【符号の説明】
【００５７】
１  利用者
１０，２０，３０  全身照射装置
３１  円筒ドーム
３１  カバー
２  超狭帯域光照射ユニット
２ａ〜２ｉ，３ａ〜３ｈ  超狭帯域光照射ユニット
７    ＬＥＤ光源
１２  拡散レンズ
１３  バンドパスフィルター
１４  信号・電源ケーブル
１５  筐体フレーム
【図１】
2011070795.tif 000004
【図２】
2011070795.tif 000005
【図３】
2011070795.tif 000006
【図４】
2011070795.tif 000007
【図５】
2011070795.tif 000008
【図６】
2011070795.tif 000009
【図７】
2011070795.tif 000010
【図８】
2011070795.tif 000011
【図９】
2011070795.tif 000012
【図１０】
2011070795.tif 000013
【図１１】
2011070795.tif 000014
【図１２】
2011070795.tif 000015
【図１３】
2011070795.tif 000016
【図１４】
2011070795.tif 000017
【図１５】
2011070795.tif 000018
【図１６】
2011070795.tif 000019
【図１７】
2011070795.tif 000020
【図１８】
2011070795.tif 000021
【図１９】
2011070795.tif 000022
【図２０】
2011070795.tif 000023
【図２１】
2011070795.tif 000024
【国際調査報告】
2011070795.tif 000025
2011070795.tif 000026
2011070795.tif 000027
2011070795.tif 000028